(57)【要約】【課題】座板の上面に設けられる締付片の大きさを最小限として、材料費の節約と座体の軽量化を図るとともに、締付片の前後左右の位置決めをすることにより、肘掛けを締付片に容易に固定しうるようにする。    【解決手段】座板９の上面に、左右方向を向く複数の横リブ１４aと、前後方向を向く複数の縦リブ１４bとからなる平面視格子状の補強リブ１４を立設し、この補強リブ１４の左右両側部に、互いに隣接する横リブ１４aと、内方の縦リブ１４bとにより画成された収容部１８を形成し、この収容部１８に、ナット２５を有する締付片２４を、前後方向と内方に移動不能に収容し、肘掛け１１の取付部と座板９に下方より挿入したボルトを、締付片のナット２５に螺合することにより、座板９の両側部下面に肘掛け１１を固着する。【選択図】  図３
2008142208.tif 000002
【特許請求の範囲】
【請求項１】
座板の両側部下面に、肘掛けの下端部における内方を向く取付部を取付ける椅子の肘掛け取付構造において、前記座板の上面に、左右方向を向く複数の横リブと、前後方向を向く複数の縦リブとからなる平面視格子状の補強リブを立設し、この補強リブの左右両側部に、互いに隣接する横リブと、少なくとも内方の縦リブとにより画成された収容部を形成し、この収容部に、複数のめねじ孔を有する締付片を、前後方向と内方に移動不能に収容し、前記肘掛けの取付部と座板に下方より挿入したボルトを、前記締付片のめねじ孔に螺合することにより、座板の両側部下面に肘掛けの取付部を固着したことを特徴とする椅子の肘掛け取付構造。
【請求項２】
肘掛け被取付部付近の横リブの間隔を、他部よりも小さくすることにより、前後幅の小さい複数の収容部を形成し、この複数の収容部に、締付片を収容してなる請求項１記載の椅子の肘掛け取付構造。
【請求項３】
締付片を座板の上面に固定してなる請求項１または２記載の椅子の肘掛け取付構造。
【請求項４】
締付片を、左右方向の中間部が正面視上向きコ字状に折曲され、かつ左右両側端部にめねじ孔を有する金属製の板状のものとしてなる請求項１〜３のいずれかに記載の椅子の肘掛け取付構造。
【請求項５】
締付片における上向きコ字状の折曲部の下面を、座板の上面に立設された、上方に開口するめねじ孔を有する支持筒の上面に当接させ、前記折曲部に設けた取付孔に上方より挿入したボルトを、前記めねじ孔に螺合することにより、締付片を座板に固定してなる請求項４記載の椅子の肘掛け取付構造。
【請求項６】
座板の上面を椀状に凹ませたものにおいて、支持筒をほぼ垂直に立設し、その上面と締付片の折曲部の下面とがほぼ水平をなして当接するようにしてなる請求項５記載の椅子の肘掛け取付構造。
【請求項７】
支持筒の外周面と、互いに隣接する横リブの対向面とを、座板の上面に立設されたリブにより連結してなる請求項５または６記載の椅子の肘掛け取付構造。
【発明の詳細な説明】
【技術分野】
【０００１】
本発明は、椅子の座板の下面に対する肘掛けの下端部の取付構造に関する。
【背景技術】
【０００２】
座体を、合成樹脂製のシェル状座板と、その上面に取付けられたクッション材とにより形成し、座板の両側部下面に、肘掛けの下端部を取付けた椅子は、例えば特許文献１に記載されており、公知である。
【特許文献１】特開平７−２４６１２７号公報
【発明の開示】
【発明が解決しようとする課題】
【０００３】
上記特許文献に記載されている肘掛け取付構造においては、座板の上面に、その左右幅とほぼ同じ左右寸法の金属板製の締付片を配設し、この締付片の両側端部に設けためねじ孔に、肘掛けにおける下端部の内向取付部に下方より挿入したボルトを螺合することにより、座板の両側部下面に、肘掛けの下端部を取り付けている。
そのため、締付片が大きくなり、材料費が嵩むとともに、座体の重量が増すという問題がある。
【０００４】
また、締付片の両側端部に形成した段部を、座板の両側部上面に突設した突部に当接させることにより、締付片の左右方向の位置決めがなされているが、前後方向の位置決めがなされていないため、締付片のめねじ孔と、肘掛けの下方より挿入したボルトとが前後方向に位置ずれし、それらを互いに整合させて螺合する作業に手間がかかり、特に、座板の上面にクッション材を取付けた後の肘掛けの取付作業が面倒である。
【０００５】
本発明は、上記問題点に鑑みてなされたもので、座板の上面に設けられる締付片の大きさを最小限として、材料費の節約と座体の軽量化を図るとともに、締付片の前後左右の位置決めをすることにより、肘掛けを締付片に容易に固定しうるようにした、椅子の肘掛け取付構造を提供することを目的としている。
【課題を解決するための手段】
【０００６】
本発明によると、上記課題は、次のようにして解決される。
（１）座板の両側部下面に、肘掛けの下端部における内方を向く取付部を取付ける椅子の肘掛け取付構造において、前記座板の上面に、左右方向を向く複数の横リブと、前後方向を向く複数の縦リブとからなる平面視格子状の補強リブを立設し、この補強リブの左右両側部に、互いに隣接する横リブと、少なくとも内方の縦リブとにより画成された収容部を形成し、この収容部に、複数のめねじ孔を有する締付片を、前後方向と内方に移動不能に収容し、前記肘掛けの取付部と座板に下方より挿入したボルトを、前記締付片のめねじ孔に螺合することにより、座板の両側部下面に肘掛けの取付部を固着する。
【０００７】
（２）上記(１)項において、肘掛け被取付部付近の横リブの間隔を、他部よりも小さくすることにより、前後幅の小さい複数の収容部を形成し、この複数の収容部に、締付片を収容する。
【０００８】
（３）上記(１)または(２)項において、締付片を座板の上面に固定する。
【０００９】
（４）上記(１)〜(３)項のいずれかにおいて、締付片を、左右方向の中間部が正面視上向きコ字状に折曲され、かつ左右両側端部にめねじ孔を有する金属製の板状のものとする。
【００１０】
（５）上記(４)項において、締付片における上向きコ字状の折曲部の下面を、座板の上面に立設された、上方に開口するめねじ孔を有する支持筒の上面に当接させ、前記折曲部に設けた取付孔に上方より挿入したボルトを、前記めねじ孔に螺合することにより、締付片を座板に固定する。
【００１１】
（６）上記(５)項において、座板の上面を椀状に凹ませたものにおいて、支持筒をほぼ垂直に立設し、その上面と締付片の折曲部の下面とがほぼ水平をなして当接するようにする。
【００１２】
（７）上記(５)または(６)項において、支持筒の外周面と、互いに隣接する横リブの対向面とを、座板の上面に立設されたリブにより連結する。
【発明の効果】
【００１３】
請求項１記載の発明によれば、座板の上面に格子状の補強リブを立設し、その左右両側部における互いに隣接する横リブと、内方の縦リブとにより画成された上下方向の曲げ剛性の大きな収容部に締付片を収容し、この締付片に、肘掛けを固定しているため、締付片の大きさを大としなくても、肘掛けを強固に取付けることができる。
従って、締付片を最小限の大きさとして、その材料費を節約しうるとともに、座板を含む座体全体を軽量化することができる。
また、締付片は、収容部内に、前後方向と内方に移動不能に収容され、その方向の位置決めがなされているので、締付片及び座板への肘掛けの取付作業が容易となる。
【００１４】
請求項２記載の発明によれば、肘掛け被取付部付近の座板の曲げ剛性がより高まり、前後幅の小さい複数の収容部の曲げ剛性も大きくなるので、この収容部に収容した複数の締付片に、肘掛けを、より強固に取付けることができる。
また、締付片を細長いものとして、それを小型化しうる。
【００１５】
請求項３記載の発明によれば、締付片を座板に固定することにより、座板の上面にクッション材を取付けた後でも、肘掛けを簡単に取付けることができ、作業性が向上する。
【００１６】
請求項４記載の発明によれば、締付片の強度が大となるとともに、中間部の上向き折曲部の前後両端が、隣接する横リブの対向面に当接するので、収容部内において締付片が前後方向にぐらつく恐れはない。
【００１７】
請求項５記載の発明によれば、締付片の座板への固定作業を、座板の上面よりも高い位置において、上方より容易に行うことができる。
【００１８】
請求項６記載の発明によれば、座板の両側部が傾斜していても、支持筒は垂直に立設され、かつその上面と締付片の折曲部の下面とは、水平をなして当接しているので、締付片の座板への取付作業を、上方からより容易に行うことができる。
【００１９】
請求項７記載の発明によれば、支持筒がリブにより補強され、ぐらつきが防止されるので、締付片も座板に強固に固定される。
【発明を実施するための最良の形態】
【００２０】
以下、本発明の実施形態を、図面に基づいて説明する。
図１は、本発明を適用した椅子の前方斜視図で、椅子１は、先端にキャスタ２が取付けられた放射方向を向く５本の脚杆３からなる脚体４と、その中心に立設され、内部に収容されたガススプリング(図示略)により伸縮可能とされた脚柱５と、この脚柱５の上端に固着された支基６と、この支基６の上部に取付けられた座体７と、同じく支基６の後端部に後傾可能に取付けられた背凭れ８とを備えている。
【００２１】
座体７は、下面中央部が支基６の上面に固着された合成樹脂製の座板９と、この座板９の上面に取付けられたクッション材１０とからなり、座板９のやや後方寄りの左右両側部下面には、左右１対の肘掛け１１、１１が、次に詳述するようにして取付けられている。
【００２２】
左右の肘掛け１１は、側面視倒立三角形状の肘当て部１２と、その下端に連設された、斜め内向き下方を向く取付部１３とからなり、全体が合成樹脂により一体成形されている。
【００２３】
座板９は、周縁部を除く内側部を椀状に凹ませた平面視概ね方形をなし、その外周部を除いた上面に、図２に示すように、前後方向(図２の下方が前)及び左右方向に並ぶ複数の横リブ１４aと縦リブ１４bよりなる格子状の補強リブ１４と、平面視前向き及び後向きＶ字状の複数の斜向リブ１５とを立設することにより高い曲げ剛性を有するものとされている。なお、肘掛け１１取付部付近における横リブ１４aの間隔は、他のそれよりも小さくしてあり、その部分の座板９の曲げ剛性は、特に大とされている。
【００２４】
座板９におけるやや後方寄りの左右両側部は、例えば図４に明示するように、下面が上向きに凹入する肘掛け１１の被取付部１６、１６とされ、この両被取付部１６付近における座板９の上面においては、縦リブ１４bが欠如され、かつ前後方向に並ぶ複数(図示では４本)の横リブ１４aのやや内方寄り同士は、前後方向を向く３本の短寸の連結リブ１７により互いに結合されている。この連結リブ１７は、座板９の補強だけでなく、後記する肘掛け１１取付用の締付片２４の左右方向の位置決めも兼ねている。
【００２５】
左右の肘掛け１１の被取付部１６、１６における互いに隣接する前部と後部の横リブ１４a、１４aと、連結リブ１７とにより画成された領域には、それぞれ左右方向に長い、後記する締付片２４の収容部１８、１８が形成されている。
【００２６】
両収容部１８における座板９には、斜め上下方向を向く左右２個ずつの通孔１９、１９が穿設され、また、両通孔１９間における座板９の上面には、上方に開口するめねじ孔２０を有する支持筒２１、２１が、一体的に、かつほぼ垂直に立設されている。両支持筒２１の前後の外周面と、前後の横リブ１４aの対向面とは、座板９の上面に立設されたリブ２２、２２により連結され、支持筒２１の補強がなされている。
【００２７】
前側の収容部１８を画成している前後の横リブ１４aの対向面と、後側の収容部１８を画成している後部の横リブ１４aの前面とには、それぞれ、後記する締付片２４の前後方向の位置決めをする短寸の位置決めリブ２３が、座板９の上面から起立するように、横リブ１４aの上端付近まで突設されている。
【００２８】
図３は、肘掛け１１取付後の座板９の平面図、図４は、図３のIV-IV線拡大縦断正面図、図５は、肘掛け１１の取付後の座板９の一側部を下方より見た斜視図である。
【００２９】
座板９の左右の被取付部１６に形成した収容部１８、１８には、図６に示すような締付片２４が収容されている。締付片２４は、水平な足片２４a、２４aと、中間部の上向き折曲部２４bとからなり、細長い鋼板を、中間部が正面視概ね上向きコ字状をなすようにプレスすることにより、一体成形されている。
【００３０】
両足片２４aの上面には、それに穿設された図示しない通孔と整合するようにして、ナット２５、２５が、溶接により固着されている。また、上向き折曲部２４bの上面には、座板９の取付孔２６が穿設されている。
【００３１】
座板９の収容部１８に、締付片２４を、その上向き折曲部２４bの高さの高い方を内側に向けて収容すると、図４に示すように、上向き折曲部２４bの上面がほぼ水平をなして、その下面が座板９に立設した支持筒２１の水平をなす上面と当接するとともに、両足片２４aに固着したナット２５の軸線は、斜め上下方向を向くようになる。
【００３２】
また、図３に示すように、収容部１８に収容された締付片２４は、その内端が連結片１７に当接することにより、内方への移動が阻止されて左右方向の位置決めがなされ、同じく前後両端が、前部の収容部１８においては横リブ１４aと位置決めリブ２３に、後部の収容部においては互いに対向する位置決めリブ２３に、それぞれ当接することにより、前後方向への移動が阻止されて、その方向の位置決めがなされる。
【００３３】
このようにして、締付片２４の前後左右の位置決めがなされると、両足片２４aのナット２５と、座板９に設けた通孔１９との中心が整合するとともに、上向き折曲部２４bの取付孔２６と、座板９における支持筒２１のめねじ孔２０の中心も整合するようになる。
【００３４】
座板９に肘掛け１１を取付けるには、図３及び図４に示すように、座板９の左右の被取付部１６の各収容部１８に、４個の締付片２４を収容して位置決めした後、その上向き折曲部２４bの取付孔２６に上方より挿入したボルト２７を、座板９の支持筒２１のめねじ孔２０に螺合することにより、全ての締付片２４を座板９の両側部上面に固定する。
【００３５】
ついで、図４及び図５に示すように、座板９の被取付部１６の下面に形成された凹入部２８に、肘掛け１１の取付部１３の内端部を嵌合したのち、それに穿設された、被取付部１６の４個の通孔１９の軸線と整合する斜め上下方向を向く４個の段付孔２９の下方より、座板９と直交する方向に向かって、ボルト３０を挿入し、このボルト３０を、各締付片２４の両足片２４aのナット２５に螺合して締め付ける。
これにより、左右の肘掛け１１は、座板９の両側部下面に、座板９を挟み込むようにして、強固に取付けられる。
【００３６】
以上説明したように、上記実施形態の肘掛け取付構造においては、座板９の両側部上面における前後に隣接する横リブ１４aと、内方の連結リブ１７とにより画成された、上下方向の曲げ剛性の大きな収容部１８に、締付片２４を収容し、この締付片２４に、肘掛け１１を、座板９を挟んで固定してあるため、締付片２４を特に大きくしなくても、肘掛け１１を強固に取り付けることができる。
従って、締付片２４を最小限の大きさとして、その材料費を節約しうるとともに、座体７を軽量化することができる。
【００３７】
また、各締付片２４は、収容部１８内において、前後左右方向の位置決めがなされているので、それへの肘掛け１１の取付作業が容易となる。
しかも、各締付片２４は、収容部１８内に、位置決めされた状態で、ボルト２７により固定されているので、座板９の上面にクッション材１０を取付けた後でも、肘掛け１１を簡単に取り付けることができる。
【００３８】
本発明は、上記実施形態に限定されるものではない。
上記実施形態では、締付片２４の足片２４aの上面にナット２５を溶接し、このナット２５に、肘掛け１１取付用のボルト３０を螺合しているが、足片２４aにめねじ孔を穿設し、このめねじ孔にボルト３０を螺合するようにすれば、ナット２５を省略することができる。
【００３９】
また、締付片２４の前後寸法を、前後に隣接する横リブ１４a間の離間寸法とほぼ等しくし、締付片２４の前後両端が、横リブ１４aの対向面と当接するようにすれば、短寸の位置決めリブ２３を省略することができる。
【００４０】
上記実施形態では、リブにより区画された収容部１８を形成するために、内方の連結リブ１７を、格子状の補強リブ１４の縦リブ１４bとずれた位置に形成しているが、縦リブ１４bの左右方向の間隔を適宜調整して、その内方の縦リブ１４bを、収容部１８を画成する連結リブ１７として共用してもよい。
【００４１】
前後方向に並ぶ横リブ１４aの外側端にも、縦リブ１４bを設け、収容部１８を、互いに隣接する前後の横リブ１４aと、左右の縦リブ１４bとにより画成された枠状とし、この枠状とした収容部に、締付片２４を、前後左右方向に移動不能として収容してもよい。
また、互いに隣接する横リブ１４a間の間隔を大として、収容部１８を大きくし、この収容部に、前後寸法を大とした１個の締付片を収容することもある。
【００４２】
肘掛け１１を締付片２４に固定した後、クッション材１０を座板９に取付ける際には、必ずしも締付片２４を座板９に固定する必要はなく、ボルト２７や座板９に立設した支持筒２１を省略することもできる。
【図面の簡単な説明】
【００４３】
【図１】本発明を適用した椅子の斜視図である。
【図２】同じく、座板の拡大平面図である。
【図３】同じく、肘掛け取付後の座板の平面図である。
【図４】図３のIV-IV線拡大縦断正面図である。
【図５】肘掛け取付後の座板の一側部を下方より見た斜視図である。
【図６】締付片の拡大斜視図である。
【符号の説明】
【００４４】
１    椅子
２    キャスタ
３    脚杆
４    脚体
５    脚柱
６    支基
７    座体
８    背凭れ
９    座板
１０  クッション材
１１  肘掛け
１２  肘当て部
１３  取付部
１４  補強リブ
１４a 横リブ
１４b 縦リブ
１５  斜向リブ
１６  被取付部
１７  連結リブ
１８  収容部
１９  通孔
２０  めねじ孔
２１  支持筒
２２  リブ
２３  位置決めリブ
２４  締付片
２４a 足片
２４b 上向き折曲部
２５  ナット
２６  取付孔
２７  ボルト
２８  凹入部
２９  段付孔
３０  ボルト
【図１】
2008142208.tif 000003
【図２】
2008142208.tif 000004
【図３】
2008142208.tif 000005
【図４】
2008142208.tif 000006
【図５】
2008142208.tif 000007
【図６】
2008142208.tif 000008